(57)【要約】      （修正有）【課題】トイレットペーパーの引き出しと切断が片手で出来しかも次に使用する紙の引き出し代が確保できるトイレットペーパーホルダーの提供。【解決手段】トイレットペーパーホルダー本体１にローラー１１を挿入、保持、スライドさせるローラースライド溝７を設けたことを特徴とするトイレットペーパーホルダーであり、ローラー１１は両端にローラー頭１２を設け、ローラー１１は弾性摩擦帯１３を備え、弾性摩擦帯１３の形状は平歯車型となっている。【選択図】図１
2020163093.tif 000002
【特許請求の範囲】
【請求項１】
ローラーを挿入、保持、スライドさせるローラースライド溝を設けたことを特徴とするトイレットペーパーホルダー。
【請求項２】
前記ローラーは両端にローラー頭を設けたことを特徴とする請求項１のトイレットペーパーホルダー。
【請求項３】
前記ローラーは弾性摩擦帯を備えるがその弾性摩擦帯の形状は平歯車型の形状をもつことを特徴とする請求項１のトイレットペーパーホルダー。
【発明の詳細な説明】
【技術分野】
【０００１】  本発明はトイレットペーパーの切断が片手でも出来るようにローラーを組み込む簡易な方法で可能にするトイレットペーパーホルダーに関するものである。
【背景技術】
【０００２】  トイレットペーパーホルダーはトイレットペーパーを保持し使用時に適度の長さを引き出してカバー状のもので切断して使用するものが一般的である。【０００３】  しかしながら次のような問題点があった。
カバー状のもので切断したあと次に紙を引き出す時の引き出し代がなく又紙が密着している為分離がむつかしくなかなか紙を引きだせない。【０００４】  紙を切断する時にカバー権カッターを押し付けておく必要があり両手を必要とする。
【先行技術文献】
【特許文献】
【０００５】
【特許文献１】特開２００７−８９８４９（Ｐ２００７−８９８４９Ａ）
【発明の概要】
【発明が解決しようとする課題】
【０００６】  特許文献１はロールペーパーの引き出しと切断が片手で出来しかも次に使用する引き出し代もとれているが普及していないのは、ローラーやアームなるものの機械的な構造が目に付く違和感があるためである。【０００７】  本発明は簡単な構造にてしかもアームを使用せずローラーを見えにくい位置に配置することで見た目の違和感を無くし  トイレットペーパーの引き出しと切断を片手で行なうことができるトイレットペーパーホルダーを提供することを目的とする。
【課題を解決するための手段】
【０００８】  本発明の第１は図１にあるようにローラー１１を挿入、保持、スライドさせるローラースライド溝７を設けたことを特徴とするトイレットペーパーホルダーである。【０００９】  第２は図５にあるようにローラー１１は両端にローラー頭１２を備えたことを特徴とするものである。【００１０】  第３は図５にあるようにローラー１１は弾性摩擦帯１３を備えその弾性摩擦帯１３は図６にあるように平歯車の形状１４を設けたことを特徴とするものである。
【発明の効果】
【００１１】  本発明においては図１にあるようにトイレットペーパーホルダー本体１にローラー１１を挿入、保持、スライドさせるローラースライド溝７を設けたことによりアームを使用せずローラー１１を目立たない位置に配置することにより見た目の違和感がなくなった。簡易な構造なので故障も少なくなる。【００１２】  紙を使用することによるトイレットペーパー本体１７の厚みの変化にもローラー１１は自動的にローラースライド溝７にそって最適な位置にスライドしていくので常に安定した効果を保てる。【００１３】  図４にあるように引き出した紙端１９はローラー１１の弾性摩擦帯１３によりトイレットペーパー本体１７より分離され、しかも切断時の歪みが生じることもあり紙端１９が再びトイレットペーパー本体１７に張り付くことがなくなる。【００１４】  図５にあるようにローラー１１は両端にローラー頭１２を設けてあるのでローラー１１の鋭利な部分が無くなるので安全に使用することができる。又ローラー頭１２によりローラー１１がトイレットペーパー本体１７より脱落することも防いでいる。【００１５】  図６にあるように弾性摩擦帯１３には平歯車の形状１４の加工がしてあるのでトイレットペーパー本体１７の回転を摩擦によって確実に制御できる。【００１６】  トイレットペーパーは片手で切断できるのでカバー兼カッター５を押し付けておく必要はないが必要に応じて従来どおりカバー兼カッター５を使って切断することもできる。
【図面の簡単な説明】
【００１７】
【図１】  本考案のトイレットペーパーホルダー本体の斜視図である。
【図２】  本考案のトイレットペーパーホルダー本体の正面図である。
【図３】  本考案のトイレットペーパーホルダー本体の平面図である。
【図４】  本考案のトイレットペーパーホルダー本体の図２のＡ断面の側面図である。
【図５】  本考案に使用するローラーの斜視図である。
【図６】  本考案に使用する弾性摩擦帯の詳細図である。
【図７】  本考案の片手で紙の切断ができることを説明する詳細図である。
【発明を実施するための形態】
【００１８】  図１はトイレットペーパーホルダー本体１の斜視図である。トイレットペーパーホルダー本体１にローラー１１を挿入、保持、スライドさせるローラースライド溝７を設ける。
【００１９】  ローラースライド溝７の下方向への長さはトイレットペーパー本体１７を使いきる最後の状態までスライドできる位置より少し長めにしておく。
【００２０】  図５はローラー１１の斜視図である。ローラー１１の両端にはローラー頭１２を設ける。
【００２１】  ローラー１１には弾性摩擦帯１３を複数設け、その弾性摩擦帯１３の材料は弾力のあるゴムのようなもので形成し図６にあるように平歯車型の形状１４を持たせる。
【実施例１】
【００２２】  図１は実施例を示すトイレットペーパーホルダー本体１の斜視図である。  この構造が一番簡単で外観的にもすっきりしていて一般的に受け入れられる形であり機能的にも優れている。【００２３】  図７はトイレットペーパー本体１７とローラー１１の弾性摩擦帯１３の関係を説明するものである。トイレットペーパー本体１７の紙端１９を斜め上方向２１に引き出せば弾性摩擦帯１３に引き出す紙が接してないので紙は抵抗なく引き出せる。【００２４】  紙端１９を斜め下方向２２に引き出すと紙は弾性摩擦帯１３を圧接し弾性摩擦帯１３は回転方向１５の方向に回転する。そしてトイレットペーパー本体１７はこの弾性摩擦帯１３に圧接されているので回転方向１６の方向に回転することになる。この回転方向１６は紙を引き出す方向とは逆の方向になるのでトイレットペーパー本体１７の回転が停止しさらに紙を引くと紙はミシン目で切れる。ミシン目がない紙では強くつかんだところが切り口となりそこから切れる。【００２５】  次に使用する引き出し代を確保して切断すれば次回の引き出し代が確保できる。引き出した紙はローラー１１によりトイレットペーパー本体１７より分離され切断時の歪みが生じることにより紙端１９が再びトイレットペーパー本体１７に張り付くことがなくなる。【００２６】  図２にあるように使い切った古いトイレットペーパーの芯１８を取り除くときはローラー１１を上方向に取り上げてその後古いトイレットペーパーの芯１８を下から上に押し上げれば取り除くことができる。【００２７】  新しいトイレットペーパー本体１７の設置は通常どおり新しいトイレットペーパー本体１７を下から上へ押し上げてフック２を通せば設置できる。【００２８】  設置後は図４にあるようにローラー１１を新しいトイレットペーパーの紙端１９とトイレットペーパー本体１７の間に挟み込んでローラースライド溝７に戻しておき紙端１９を適度の長さに引き出しておけばよいのである。
【産業上の利用可能性】
【００２９】  本発明のトイレットペーパーホルダーはトイレットペーパーホルダーやペーパータオルホルダーを生産する産業で利用される。
【符号の説明】
【００３０】  １  トイレットペーパーホルダー本体
２  フック
３  フック収納部
４  取付け孔
５  カバー権カッター
６  ローラー頭挿入孔
７  ローラースライド講
１０  ローラースライド方向
１１  ローラー（ローラー全体を表現）
１２  ローラー頭
１３  弾性摩擦帯
１４  平歯車型の形状
１５  弾性摩擦帯の回転方向
１６  トイレットペーパー本体の回転方向
１７  トイレットペーパー本体
１８  トイレットペーパーの芯
１９  紙端
２１  斜め上方向
２２  斜め下方向
【図１】
2020163093.tif 000003
【図２】
2020163093.tif 000004
【図３】
2020163093.tif 000005
【図４】
2020163093.tif 000006
【図５】
2020163093.tif 000007
【図６】
2020163093.tif 000008
【図７】
2020163093.tif 000009